(57)【要約】【課題】カウンターフロー型の燃料電池において、高温運転条件下においても、電解質膜の乾燥を抑制することにより、発電性能の低下を抑制する。【解決手段】アノードに供給される燃料ガスの流れとカソードに供給される酸化ガスの流れとが対向する向きとなるカウンターフロー型の燃料電池である。電解質膜と、電解質膜の両面上に、それぞれ、触媒電極層と、ガス拡散層と、を備える膜電極接合体と、膜電極接合体を挟持する燃料ガス流路部および酸化ガス流路部と、を備える。燃料ガス流路部は、燃料ガス流路部内の燃料ガス供給流路の下流端部分を、燃料ガス排出口に連通する第１の端部と、燃料ガス排出口と連通しない閉端部として構成された第２の端部に分岐する遮蔽壁を有する。【選択図】図１
2011181302.tif 000002
【特許請求の範囲】
【請求項１】
アノードに供給される燃料ガスの流れとカソードに供給される酸化ガスの流れとが対向する向きとなるカウンターフロー型の燃料電池であって、
電解質膜と、前記電解質膜の両面上に、それぞれ、触媒電極層と、ガス拡散層と、を備える膜電極接合体と、
前記膜電極接合体を挟持する燃料ガス流路部および酸化ガス流路部と、
を備え、
前記燃料ガス流路部は、前記燃料ガス流路部内の燃料ガス供給流路の下流端部分を、燃料ガス排出口に連通する第１の端部と、前記燃料ガス排出口と連通しない閉端部として構成された第２の端部に分岐する遮蔽壁を有する
ことを特徴とする燃料電池。
【請求項２】
請求項１記載の燃料電池であって、
前記燃料ガス流路部および前記酸化ガス流路部のガス流路は多孔体流路によって構成されており、
前記第２の端部は、前記燃料ガス供給流路内の前記燃料ガスの流れ方向に直交する厚み方向の中間部分に、前記燃料ガス供給流路の下流端部から上流方向に向かって、前記遮蔽壁を形成することにより、前記燃料ガス排出口に対して連通しないで遮蔽されるように設けられた前記遮蔽壁と前記膜電極接合体との間の遮蔽領域である
ことを特徴とする燃料電池。
【請求項３】
請求項２記載の燃料電池であって、
前記遮蔽壁の前記燃料ガス供給流路の流れ方向についての長さは、前記燃料ガス供給流路の長さに対して、約３％〜約８％の長さの範囲内である
ことを特徴とする燃料電池。
【請求項４】
請求項１記載の燃料電池であって、
前記燃料ガス流路部は、下流端が閉塞された溝状のガス供給用流路と上流端が閉塞された溝状のガス排出用流路の２種類のガス流路に分離して構成されており、
前記第２の端部は、前記ガス供給用流路の溝状の流路の下流側の一部を分断するように前記遮蔽壁を設けることにより形成された溝状の遮蔽領域である
ことを特徴とする燃料電池。
【発明の詳細な説明】
【技術分野】
【０００１】
この発明は、固体高分子電解質型の燃料電池に関し、特に、カウンターフロー型のガス流路を有する燃料電池において、高温運転時においても良好な特性を示す燃料電池に関する。
【背景技術】
【０００２】
燃料電池は、燃料ガスとしての水素と酸化ガスとしての酸素（Ｏ２）との電気化学反応によって発電する装置である。なお、以下では、燃料ガスや酸化ガスを、特に区別することなく単に「反応ガス」あるいは「ガス」と呼ぶ場合もある。この燃料電池は、プロトン（Ｈ＋）伝導性を有する固体高分子電解質膜（以下、単に「電解質膜」とも呼ぶ）の両面に、それぞれ触媒電極層を接合し、さらに、それぞれガス拡散層を配置した膜電極接合体（ＭＥＡ：Membrane-Electrode Assembly）を有しており、ガス拡散層に当接する面に反応ガスの流路が設けられている。
【０００３】
反応ガスの流路の構造としては、アノードに供給する燃料ガスとカソードに供給する酸化ガスとが対向する向きに流れる（以下、「対向流」、あるいは、「カウンターフロー」と呼ぶ）ように構成された構造のものがある。このカウンターフロー型のガス流路を有する燃料電池においては、例えば、アノードのガスの排出口付近のガス流路から、これに対向するカソードのガスの供給口付近へとＭＥＡのアノード側からカソード側のＭＥＡへ移動してくる水の量が少なく、ＭＥＡを構成する電解質膜の乾燥による発電性能の低下が問題となる。特に、高温運転条件化においては、滞留する液水が存在せず水は水蒸気となっており、排出されるガスとともに外部へ排出されやすいため、この問題が顕著に現れる。
【先行技術文献】
【特許文献】
【０００４】
【特許文献１】特開２００９−００９７２４号公報
【特許文献２】特開２００５−０９３２４４号公報
【特許文献３】特開２００６−０４０５６３号公報
【発明の概要】
【発明が解決しようとする課題】
【０００５】
そこで、本発明は、カウンターフロー型の燃料電池において、高温運転条件下においても、電解質膜の乾燥を抑制することにより、発電性能の低下を抑制することが可能な燃料電池を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
アノードに供給される燃料ガスの流れとカソードに供給される酸化ガスの流れとが対向する向きとなるカウンターフロー型の燃料電池であって、
電解質膜と、前記電解質膜の両面上に、それぞれ、触媒電極層と、ガス拡散層と、を備える膜電極接合体と、
前記膜電極接合体を挟持する燃料ガス流路部および酸化ガス流路部と、
を備え、
前記燃料ガス流路部は、前記燃料ガス流路部内の燃料ガス供給流路の下流端部分を、燃料ガス排出口に連通する第１の端部と、前記燃料ガス排出口と連通しない閉端部として構成された第２の端部に分岐する遮蔽壁を有する
ことを特徴とする燃料電池。
カウンターフロー型の燃料電池では、例えば、高温・低加湿運転あるいは高温・無加湿運転（以下、単に「高温運転」と呼ぶ）条件下において、アノードに供給される燃料ガスの排出口に対向するカソードに供給される酸化ガスの供給口付近の電解質膜がもっとも乾燥するため、電解質膜の性能低下を招き発電性能が低下する。本発明の燃料電池では、第２の端部に供給される燃料ガスが発電により消費されるに従って、燃料ガスとともに水蒸気が供給され、第２の端部における水蒸気の濃度が上昇することになる。これにより、第２の端部に対向する酸化ガスの供給口付近の電解質膜に吸水される水蒸気の吸水速度が上昇し、電解質膜の湿度を上昇させることが可能となる。この結果、高温運転条件下においても、酸化ガスの供給口付近の電解質膜の乾燥を抑制し、発電性能の低下を抑制することが可能となる。
［適用例２］
適用例１記載の燃料電池であって、
前記燃料ガス流路部および前記酸化ガス流路部のガス流路は多孔体流路によって構成されており、
前記第２の端部は、前記燃料ガス供給流路内の前記燃料ガスの流れ方向に直交する厚み方向の中間部分に、前記燃料ガス供給流路の下流端部から上流方向に向かって、前記遮蔽壁を形成することにより、前記燃料ガス排出口に対して連通しないで遮蔽されるように設けられた前記遮蔽壁と前記膜電極接合体との間の遮蔽領域である
ことを特徴とする燃料電池。
このようにすれば、第２の端部を、燃料ガス供給流路中に燃料ガス排出口と連通しないように遮蔽された遮蔽領域を設けることができる。また、遮蔽壁の長さを調整することにより、遮蔽領域の燃料ガスの流れ方向についての長さを調整することができる。
【０００８】
［適用例３］
適用例２記載の燃料電池であって、
前記遮蔽壁の前記燃料ガス供給流路の流れ方向についての長さは、前記燃料ガス供給流路の長さに対して、約３％〜約８％の長さの範囲内である
ことを特徴とする燃料電池。
このようにすれば、効率よく電解質膜の湿度を上昇させることが可能である。
［適用例４］
適用例１記載の燃料電池であって、
前記燃料ガス流路部は、下流端が閉塞された溝状のガス供給用流路と上流端が閉塞された溝状のガス排出用流路の２種類のガス流路に分離して構成されており、
前記第２の端部は、前記ガス供給用流路の溝状の流路の下流側の一部を分断するように前記遮蔽壁を設けることにより形成された溝状の遮蔽領域である
ことを特徴とする燃料電池。
このようにしても、燃料ガス供給流路中に、燃料ガス排出口と連通しない閉端部として構成された第２の端部を遮蔽領域として形成することができる。また、遮蔽壁の設ける位置を調整することにより、遮蔽領域の燃料ガスの流れ方向についての長さを調整することができる。
【図面の簡単な説明】
【０００９】
【図１】本発明の第１の実施形態としての燃料電池を構成する燃料電池セルの概略構成を表わす断面模式図である。
【図２】アノード側のガス流路部の概略構造を示す斜視図である。
【図３】流路遮蔽領域の作用・効果について示す説明図である。
【図４】実施例として製造した燃料電池セルの発電性能を示すグラフである。
【図５】本発明の第２の実施形態としての燃料電池を構成する燃料電池セルの概略構成を表す断面模式図である。
【図６】アノード側のセパレータに形成されているガス流路部の概略構造を示す斜視図である。
【発明を実施するための形態】
【００１０】
Ａ．第１の実施形態：
図１は、本発明の第１の実施形態としての燃料電池を構成する燃料電池セルの概略構成を表わす断面模式図である。この燃料電池セル１００は、膜電極接合体１０と、膜電極接合体１０のアノード側に設けられた燃料ガスのガス流路部２０Ａおよびセパレータ３０Ａと、膜電極接合体１０のカソード側に設けられた酸化ガスのガス流路部２０Ｃおよびセパレータ３０Ｃと、を備えている。
【００１１】
膜電極接合体１０は、電解質層１２と、電解質層１２のアノード側の面上に形成される触媒電極層１４Ａおよびカソード側の面上に形成される触媒電極層１４Ｃと、上記各触媒電極層に隣接して設けられたアノード側のガス拡散層１６Ａおよびカソード側のガス拡散層１６Ｃと、で構成されている。なお、触媒電極層およびガス拡散層を纏めてガス拡散電極あるいはガス拡散電極層とも呼ぶ。
【００１２】
電解質層１２は、固体高分子材料、例えばフッ素系樹脂により形成されたプロトン伝導性のイオン交換膜であり、湿潤状態で良好なプロトン伝導性を示す。この電解質層１２としては、例えば、ナフィオン膜（デュポン社製）が利用される。
【００１３】
アノード側の触媒電極層１４Ａおよびカソード側の触媒電極層１４Ｃは、電気化学反応を促進する触媒金属と、プロトン伝導性を有する電解質と、電子伝導性を有するカーボン粒子と、を備える。触媒金属としては、例えば、白金（Ｐｔ）、あるいはＰｔと他の金属とから成る合金（例えばコバルトやニッケルを混合したＰｔ合金）を用いることができる。また、電解質としては、電解質層１２と同様に、スルホン酸基を介して水和プロトンを伝導するフッ素系樹脂、例えば、ナフィオン溶液を用いている。上記触媒金属はカーボン粒子上に担持されており、各触媒電極層では、触媒金属を担持したカーボン粒子（触媒粒子）と電解質とが混在している。触媒金属を担持するためのカーボン粒子（以下、「担持用カーボン粒子」と呼ぶ。）は、一般に市販されているカーボン粒子（カーボン粉末）を加熱処理することにより自身の撥水性が高められた撥水化カーボン粒子が用いられる。本例では、触媒電極層１４Ａ，１４Ｃは、電解質溶液とＰｔ触媒を担持したカーボンブラック(全重量にあいするＰＴ重量比６５％)とを混合した触媒電極層インク（触媒粉中のカーボンブラックと電解質の質量比は１．０：０．８）を電解質層１２を形成する電解質膜上に塗布することにより形成されている。
【００１４】
ガス拡散層１６Ａ，１６Ｃは、ガス透過性を有する導電性部材、例えば、カーボンクロスやカーボンペーパー等のカーボン多孔質体、あるいは、金属メッシュや発泡金属などの金属多孔質体によって構成することができる。
【００１５】
ガス流路部２０Ａ，２０Ｃも、ガス透過性を有する導電性部材、発砲金属や金属メッシュ、エキスパンドメタルなどの金属製多孔体を用いて形成される。例えば、チタン（Ｔｉ）製の多孔体を用いることができる。ガス流路部２０Ａ，２０Ｃは、膜電極接合体１０とセパレータ３０Ａ，３０Ｃとの間に形成される空間全体を占めるように配設されており、内部に形成される多数の空間は、電気化学反応に供されるガス（反応ガス、すなわち、燃料ガスまたは酸化ガス）が通過する燃料電池セル内のガス流路として機能する。上述したガス拡散層においても、内部に形成される空間をガスが通過するが、本実施例では、ガス流路部２０Ａ，２０Ｃが、燃料電池セル１００に供給されたガスが通過する主たる空間を形成する。ガス流路部２０Ａ，２０Ｃのうち、特に、アノード側のガス流路部２０Ａは、以下で説明する構造を有している。
【００１６】
図２は、アノード側のガス流路部２０Ａの概略構造を示す斜視図である。図２示すように、このガス流路部２０Ａには、流路方向の下流端の部分で厚さ方向の中間部分に、シール部２０ＡＷが形成されている。そして、ガス流路部２０Ａの構成するガス供給流路は、シール部２０ＡＷによって、ガス排出口３０ＡＯに連通する第１の端部２０ＡＰ１と、シール部２０ＷＡとガス拡散層１６Ａとの間の領域で、ガス排出口３０ＡＯに連通しない閉端部である第２の端部２０ＡＰ２とに分岐されている。このシール部２０ＡＷの流路方向の長さＬｓは、流路長Ｌａに対して約３％〜約８％の割合で形成される。このシール部２０ＡＷの長さＬｓについては、後述する。なお、このシール部２０ＡＷが本実施例における本発明の遮蔽壁に相当する。
【００１７】
ガス流路部２０Ａは、例えば、以下のようにして作製することができる。まず、２つのガス流路部材２０Ａｐａ、２０Ａｐｂを用意し、シール部２０ＡＷに対応する部分にフッ素樹脂を含浸させる。そして、フッ素樹脂含浸部を向かい合わせて貼り合わせることにより、貼り合わされたフッ素樹脂含浸部分がシール部２０ＡＷとなり、ガス流路部２０Ａを作製することができる。
【００１８】
膜電極接合体１０の外周縁には、シリコンゴムなどの樹脂部材によって、流体の漏洩を抑制するためのシール部１８が設けられている。具体的には、シール部１８は、アノード側のガス流路部２０Ａからカソード側のガス流路部２０Ｃまでの外周端部を被覆するように設けられている。
【００１９】
セパレータ３０Ａ，３０Ｃは、ガス不透過の導電性部材、例えば、カーボンを圧縮してガス不透過とした緻密質カーボンや、プレス成形した金属板によって形成することができ、膜電極接合体１０、ガス流路部２０Ａ、２０Ｃをシール部１８と組み合わさって遮蔽するとともに、膜電極接合体１０により発生する電気を集電する集電体として機能する。
【００２０】
アノード側のセパレータ３０Ａには、燃料ガスのガス流路部２０Ａの一方の端部に対応する位置に燃料ガスのガス流路部２０Ａへのガス供給口３０ＡＩが形成されており、他方の端部にはガス流路部２０Ａからの燃料ガスのガス排出口３０ＡＯが形成されている。これに対して、カソード側のセパレータ３０Ｃには、燃料のガス排出口３０ＡＯに対向する位置に、酸化ガスのガス流路部２０Ｃへのガス供給口３０ＣＩが形成されており、燃料ガスのガス供給口３０ＡＩに対向する位置に、ガス流路部２０Ｃからのカ酸化ガスのガス排出口３０ＣＯが形成されている。すなわち、燃料ガスと酸化ガスの流れはカウンターフローの構造となる。
【００２１】
なお、通常燃料電池は、燃料電池セル１００を複数積層したスタック構造を有しており、このスタック構造の外周部には、燃料電池セル１００の積層方向と平行であって反応ガス（燃料ガスあるいは酸化ガス）や冷媒が流通する複数のマニホールドが設けられている（図示せず）。これら複数のマニホールドのうちの燃料ガス供給マニホールドを流れる燃料ガスは、各燃料電池セル１００に分配され、電気化学反応に供されつつ各燃料電池セルの燃料ガス用のガス流路を通過し、その後、燃料ガス排出マニホールドに集合する。同様に、酸化ガス供給マニホールドを流れる酸化ガスは、各燃料電池セル１００に分配され、電気化学反応に供されつつ各燃料電池セルの酸化ガス用のガス流路を通過し、その後、酸化ガス排出マニホールドに集合する。
【００２２】
なお、図示は省略しているが、スタック構造の内部温度を調節するために、各燃料電池セル間に、冷媒の通過する冷媒流路が形成された冷媒流路形成部が設けられる。冷媒流路形成部は、隣り合う燃料電池セルの間において、一方の燃料電池セルが備えるセパレータ３０Ａ、３０Ｃと、これに隣接して設けられる他方の燃料電池セルのセパレータ３０Ｃ，３０Ａとの間に設ければよい。
【００２３】
上記燃料電池セル１００では、ガス供給口３０ＡＩからアノード側のガス流路部２０Ａに供給された燃料ガスとしての水素は、多孔体中を拡散しつつ、ガス流路部２０Ａのガス供給流路中を上流から下流へ流れることになる。この過程において、ガス拡散層１６Ａへ到達した水素は、ガス拡散層１６Ａ中を拡散して触媒電極層１４Ａに供給される。触媒電極層１４Ａに供給された水素は触媒電極層１４Ａによる電気化学反応に寄与される。
【００２４】
シール部２０ＡＷの設けられている位置まで流れてきた水素は、基本的には、セパレータ３０Ａ側の第１の端部２０ＡＰ１を流れて、ガス排出口３０ＡＯから排出される。シール部２０ＡＷとガス拡散層１６Ａとの間の第２の端部２０ＡＰ２には、ガス拡散層１６Ａの下層にある触媒電極層１４Ａで電気化学反応に寄与されて消費された水素に応じて不足した水素を補うように、一部の水素が、拡散によって供給される。なお、以下では、この第２の端部２０ＡＰ２を「流路遮蔽領域」とも呼ぶ。
【００２５】
図３は、流路遮蔽領域の作用・効果について示す説明図であり、図３（Ａ）は流路遮蔽領域がない従来の場合、図３（Ｂ）は流路遮蔽領域の長さ（以下、「遮蔽領域長」と呼ぶ）が適切な範囲の場合、図３（Ｃ）は遮蔽領域長が適切な範囲よりも長い場合を示している。
【００２６】
カウンターフロー型の場合、高温・低加湿運転あるいは高温・無加湿運転のような運転（以下、単に「高温運転」と呼ぶ）条件下では、通常、カソードのガスの供給口側（上流側）の膜電極接合体部分が最も乾燥する。この理由は以下の通りである。カソードのガスの供給口から供給される酸化ガスは、高温運転条件下では無加湿あるいは低加湿状態であるのに対して、下流側では電気化学反応により水が生成されるため、酸化ガスのガス流路においては下流に比べて上流のほうが、ガスが乾燥している。このため、酸化ガスのガス流路の上流ほど、ガス流路を流れるガスが膜電極接合体に含まれる水分を蒸発させる度合いが高くなり、膜電極接合体の乾燥の度合いが高くなるからである。
【００２７】
上記したカソードのガス供給口側（上流側）の膜電極接合体の乾燥を抑制するために、膜電極接合体ではアノード側のガス流路に含まれる水分を吸水することになる。この吸水速度はアノードの燃料ガスのガス流路における湿度が高いほど速くなる。従って、カソードのガス供給口側（上流側）の乾燥を防ぐためには、アノードのガス排出口側（下流側）の湿度を上昇させることが望まれる。そして、カソードのガス供給口付近での膜電極接合体からの水分の蒸発速度に対して、アノードのガス排出口付近における膜電極接合体の吸水速度が遅くならないことが望まれる。膜電極接合体の吸水速度が膜電極接合体からの水分の蒸発速度を下回らなければ、膜電極接合体の湿潤状態が維持され、発電性能の低下を抑制することができるからである。
【００２８】
ここで、図３（Ａ）に示すように、従来の場合には、アノードの上端端から下流端に向かって水素濃度が減少するとともに、カソードの乾燥の度合いが高くなるにつれて、アノードのガス流路中に含まれる水蒸気（高温運転下では液水ではなく水蒸気としてガス流路中に存在する）も減少する。この水蒸気の傾きが膜電極接合体の吸水速度に相当する。
【００２９】
本実施例のようにシール部２０ＡＷによる流路遮蔽領域を有する構造の場合には、この流路遮蔽領域の遮蔽領域長が適切な範囲（後述するように、流路長の約３％〜約８％の範囲）であれば、図３（Ｂ）に示すように、流路遮蔽領域の上流端における水素濃度が減少し、水蒸気濃度が上昇することにより、アノードでの膜電極接合体１０の吸水速度が上昇することになる。これは、流路遮蔽領域への燃料ガスとしての水素の供給は、上述したように、電気化学反応によって消費した水素を補うように、拡散によってのみ行なわれるため、流路遮蔽領域には余分な水素は供給されなくなって水素濃度が減少し、その分水蒸気濃度が上昇することになるからである。これにより、流路遮蔽領域の下流端での吸水量が増加して、膜電極接合体の湿度の上昇を高めることができ、乾燥を抑制することが可能となる。この結果、アノードのガスの排出口付近における膜電極接合体の吸水速度がカソードのガスの供給口付近での膜電極接合体からの水分の蒸発速度を下回らないようにすることができ、発電性能の低下を抑制して、発電を継続させることが可能となる。
【００３０】
ただし、図３（Ｃ）に示すように、流路遮蔽領域の遮蔽領域長を適切な範囲よりも長くすると、水素の消費に比べて水蒸気が膜電極接合体に吸水される割合が増加してしまい、水蒸気濃度の減少が早くなってしまうので、遮蔽領域下流端における吸水量が不足することになる。この結果、アノード側のガスの排出口付近における膜電極接合体の吸水速度がカソードのガス供給口付近での膜電極接合体からの水分の蒸発速度を下回ってしまうことになり、発電性能の低下を抑制することができなくなる。
【００３１】
なお、流路遮蔽領域の遮蔽領域長が適切範囲より短い場合には、流路遮蔽領域の上流端での水蒸気量をあまり上昇させることができず、吸水速度を高めることができなくなるため、流路遮蔽領域の遮蔽領域長を適切な範囲よりも長い場合と同様に、アノード側のガス排出口付近における膜電極接合体の吸水速度がカソードのガス供給口付近での膜電極接合体からの水分の蒸発速度を下回ってしまうことになり、発電性能の低下を抑制することができなくなる。
【００３２】
図４は、実施例として製造した燃料電池セルの発電性能を示すグラフである。実施例１は、シール部２０ＡＷ、すなわち、流路遮蔽領域の流路方向の長さＬｓが流路長Ｌａに対して８％の場合を示し、実施例２は３％の場合を示している。比較例１は、シール部２０ＡＷの流路方向の長さＬｓが流路長Ｌａに対して０％、すなわち、流路遮蔽領域がない従来例の場合を示し、比較例２は１５％の場合を示している。なお、評価条件としては、酸化ガスの化学量論比として、空気１５０％，湿度０％、燃料ガスの化学量論比として、水素１５０％，湿度０％とし、常温から除々に上昇させて、セル温度［℃］に対するセル電圧［Ｖ］を測定するものとした。
【００３３】
図４に示すように、セル温度９５℃の高温運転下において、比較例１（従来例）の場合ではセル電圧が１７５ｍＶまで低下し、比較例２（遮蔽領域長：１５％）では、３３５ｍＶまで低下するのに対して、実施例１（遮蔽領域長：８％）の場合には４０５ｍＶで、実施例２（遮蔽領域長：３％）の場合には４２０ｍＶとなり、流路長Ｌａに対する遮蔽領域長Ｌｓが３％〜８％の範囲内においては、発電性能の低下が改善され、高温・低加湿運転や高温・無加湿運転のような高温運転下における発電性能が向上していることがわかる。
【００３４】
以上説明したように、本実施例によれば、カウンターフロー型の燃料電池において、高温・低加湿運転や高温・無加湿運転のような高温運転条件下においても、膜電極接合体（より厳密には電解質膜）の乾燥を抑制することにより、発電性能の低下を抑制することが可能である。
【００３５】
Ｂ．第２の実施形態
図５は、本発明の第２の実施形態としての燃料電池を構成する燃料電池セルの概略構成を表す断面模式図である。この燃料電池セル１００ａでは、第１の実施形態の燃料電池セル１００では、膜電極接合体１０のガス拡散層１６Ａ，１６Ｃとセパレータ３０Ａ，３０Ｃとの間に、ガス流路部２０Ａ，２０Ｃが別体で構成されていたのに対して、セパレータ３０Ａａ，３０Ｃａのガス拡散層１６Ａ，１６Ｃに接する面に溝流路を形成することによりガス流路部２０Ａａ，２０Ｃａが構成されている。
【００３６】
カソード側のガス流路部２０Ｃａは、従来のセパレータに形成されている溝流路と同じであり、酸化ガスとしての空気（厳密には酸素）のガス供給口３０ＣａＩとガス排出口３０Ｃａｏとを接続する溝状の流路により構成されている。
【００３７】
図６は、アノード側のセパレータ３０Ａａに形成されているガス流路部２０Ａａの概略構造を示す斜視図である。アノード側のガス流路部２０Ａａは、ガス供給口３０ＡａＩから供給される燃料ガスとしての水素が流れ、下流端が閉塞された溝状のガス供給流路２０ＡａＩと、上流端が閉塞され、ガス排出口３０ＡａＯから排出される水素が流れる溝状のガス排出流路２０ＡａＯとに分離されている。そして、ガス供給流路２０ＡａＩおよびガス排出流路２０ＡａＯは、ガス排出流路２０ＡａＯがガス供給流と２０ＡａＩの下流端（閉塞部）を挟んで交互に配列された構造を有している。また、ガス供給流路２０ＡａＩの下流端を閉塞する遮蔽壁２０ＡａＷの先には閉塞された独立溝２０ＡａＰが形成されている。
【００３８】
本実施例の燃料電池セル１００ａでは、アノード側のセパレータ３０ａのガス供給口３０ＡａＩからガス供給流路２０ＡａＩに供給された燃料ガスとしての水素は、上流から下流へ流れるとともに、ガスの圧力によりガス拡散層１６Ａに押し流される。そして、ガス拡散層１６Ａに押し流された水素は、ガス拡散層１６Ａ内を拡散して、触媒電極層１４Ａに供給されて触媒電極層１４Ａによる電気化学反応に寄与される。触媒電極層１４Ａに供給されなかった水素や触媒電極層１４Ａによる電気化学反応に寄与されなかった水素は、ガス排出流路２０ＡａＯに押し流されてガス排出流路２０ＡａＯをガス排出口３０ＡａＯへ向けて流れ、ガス排出口３０ＡａＯから排出される。
【００３９】
ガス供給流路２０ＡａＩから拡散層１６に押し流され、電気化学反応に寄与されずにガス排出流路２０ＡａＯへ押し流される水素の一部は、独立溝２０ＡａＰに蓄積される。そして、独立溝２０ＡａＰに蓄えられた水素は、独立溝２０ＡａＰに対向する位置のガス拡散層１６Ａを介して触媒電極層１４Ａに供給され、電気化学反応に寄与されて消費される。独立溝２０ＡａＰに蓄積された水素が消費されると、消費された水素に応じて不足した水素を補うように、ガス排出流路２０ＡａＯへ押し流される水素の一部が独立溝に蓄積される。このとき、水素の補給とともに水蒸気も供給されるため、独立溝２０ＡａＰの水蒸気濃度が高められることになる。この結果、独立溝２０ＡａＰの領域では、第１実施例において図３を用いて説明した膜電極接合体の吸水速度を高めることができ、カソード側の乾燥を抑制することが可能となる。これにより、高温・低加湿運転や高温・無加湿運転のような高温運転下における発電性能の低下を抑制することができる。
【００４０】
以上の説明からわかるように、独立溝２０ＡａＰが本実施例における本発明の「閉塞された溝領域」すなわち「遮蔽領域」に相当する。
【００４１】
なお、独立溝２０ＡａＰの、流路長に対する長さは、第１実施例と同様に約３％〜約８％の範囲であることが好ましい。
【００４２】
Ｃ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能である。
【００４３】
例えば、上記第１実施例では、アノード側のガスの下流端に遮蔽壁であるシール部２０ＡＷを設けた構成を説明している。しかしながら、カソード側のガスの下流端に同様に遮蔽壁を設ける構成としてもよい。
【００４４】
また、上記第２実施例では、カソード側のガス流路部２０Ｃａは従来の溝流路構造として説明しているが、アノードと同様に、ガス供給流路とガス排出流路とが分離され、交互に配列された構成としてもよい。そして、ガス供給流路の下流端の先に遮蔽領域となる閉塞された溝領域を設ける構成としてもよい。
【００４５】
また、上記第１実施例における遮蔽壁に相当するシール部２０ＡＷや第２実施例における遮蔽壁２０ＡａＷを、樹脂埋めすることにより作製するようにしてもよい。このようにすれば、低温運転時において、樹脂が収縮することによりガス流路を確保することが可能となり、部分的な水素欠状態を抑制することが可能である。
【００４６】
また、上記実施例における流路遮蔽領域に対向するアノード側の輪触媒電極層にはＩｒやＲｕ等の白金属元素を添加し、カソード側の触媒電極層にはＩｒＯ２を用いることが好ましい。このようにすれば、低温運転時において、部分水素欠状態が発生した場合における触媒層の劣化を抑制することが可能である。
【符号の説明】
【００４７】
１０…膜電極接合体
１２…電解質層
１４Ａ…触媒電極層
１４Ｃ…触媒電極層
１６Ａ…ガス拡散層
１６Ｃ…ガス拡散層
１８…シール部
２０ＡａＩ…ガス供給流路
２０ＡａＯ…ガス排出流路
２０ＡａＷ…遮蔽壁
２０ＡａＰ…独立溝(流路遮蔽領域)
２０ＡＰ２…ガス流路部分（流路遮蔽領域）
２０ＡＰ１…ガス流路部分
２０Ａ…ガス流路部
２０Ｃ…ガス流路部
２０ＡＷ…シール部
２０Ａａ…ガス流路部
２０Ａｐａ…ガス流路部材
２０Ａｐｂ…ガス流路部材
２０Ｃａ…ガス流路部
３０ＡＩ…ガス供給口
３０ＡＯ…ガス排出口
３０Ｃａｏ…ガス排出口
３０ＡａＯ…ガス排出口
３０ＡａＩ…ガス供給口
３０ＣａＩ…ガス供給口
３０Ａ…セパレータ
３０Ｃ…セパレータ
３０Ａａ…セパレータ
３０Ｃａ…セパレータ
１００…燃料電池セル
１００ａ…燃料電池セル
【図１】
2011181302.tif 000003
【図２】
2011181302.tif 000004
【図３】
2011181302.tif 000005
【図４】
2011181302.tif 000006
【図５】
2011181302.tif 000007
【図６】
2011181302.tif 000008